(57)【特許請求の範囲】
【請求項１】
変電所１次送電線各回線の潮流値と過負荷限度値とから各回線の過負荷量を求める回線過負荷量演算手段と、過負荷が発生している回線と同一系統に接続されている各回線の潮流比から過負荷量に相当する各回線の潮流量を求め、これらの総和を過負荷回線の過負荷を解消するための回線負荷遮断量として求める回線負荷遮断量演算手段とを備えたことを特徴とする負荷遮断量検出装置。
【請求項２】
変電所に設置される変圧器各バンクの潮流値と過負荷限度値とから各バンクの過負荷量を求めるバンク過負荷量演算手段と、過負荷が発生しているバンクと同一系統に接続されている各バンクの潮流比から過負荷量に相当する各バンクの潮流量を求め、これらの総和を過負荷バンクの過負荷を解消するためのバンク負荷遮断量として求めるバンク負荷遮断量演算手段とを備えたことを特徴とする負荷遮断量検出装置。
【請求項３】
変電所１次送電線各回線の潮流値と過負荷限度値とから各回線の過負荷量を求める回線過負荷量演算手段と、過負荷が発生している回線と同一系統に接続されている各回線の潮流比から過負荷量に相当する各回線の潮流量を求め、これらの総和を過負荷回線の過負荷を解消するための回線負荷遮断量として求める回線負荷遮断量演算手段と、変電所に設置される変圧器各バンクの潮流値と過負荷限度値とから各バンクの過負荷量を求めるバンク過負荷量演算手段と、過負荷が発生しているバンクと同一系統に接続されている各バンクの潮流比から過負荷量に相当する各バンクの潮流量を求め、これらの総和を過負荷バンクの過負荷を解消するためのバンク負荷遮断量として求めるバンク負荷遮断量演算手段とを有し、複数の回線またはバンクで過負荷が発生している場合に、これらの回線負荷遮断量，バンク負荷遮断量を上記手段によって求め、これらの最大値を全回線，全バンクの過負荷を解消する負荷遮断量として求める負荷遮断量演算手段とを備えたことを特徴とする負荷遮断量検出装置。
【請求項４】
１次送電線各回線の過負荷を検出する手段と、変圧器各バンクの過負荷を検出する手段と、１次送電線各回線の潮流値を入力する手段と、変圧器各バンクの潮流値を入力する手段と、系統の遮断器・断路器情報を入力する手段と、過負荷限度値を設定する手段と、変電所１次送電線各回線の潮流値と過負荷限度値とから各回線の過負荷量を求める回線過負荷量演算手段と、過負荷が発生している回線と同一系統に接続されている各回線の潮流比から過負荷量に相当する各回線の潮流量を求め、これらの総和を過負荷回線の過負荷を解消するための回線負荷遮断量として求める回線負荷遮断量演算手段と、変電所に設置される変圧器各バンクの潮流値と過負荷限度値とから各バンクの過負荷量を求めるバンク過負荷量演算手段と、過負荷が発生しているバンクと同一系統に接続されている各バンクの潮流比から過負荷量に相当する各バンクの潮流量を求め、これらの総和を過負荷バンクの過負荷を解消するためのバンク負荷遮断量として求めるバンク負荷遮断量演算手段とを有し、複数の回線またはバンクで過負荷が発生している場合に、これらの回線負荷遮断量，バンク負荷遮断量を上記手段によって求め、これらの最大値を全回線，全バンクの過負荷を解消する負荷遮断量として求める負荷遮断量演算手段と求まった負荷遮断量に相当する負荷の組合せを検索・抽出する手段とを有し、複数の回線またはバンクで過負荷が発生している場合に、負荷遮断量を上記手段によって求め、負荷遮断量相当の負荷の組合せを一括して遮断することにより過負荷を解消することを特徴とする負荷遮断装置。
【請求項５】
変電所１次送電線各回線の潮流値と過負荷限度値とから各回線の過負荷量を求めるとともに、過負荷が発生している回線と同一系統に接続されている各回線の潮流比から過負荷量に相当する各回線の潮流量を求め、これらの総和を過負荷回線の過負荷を解消する回線負荷遮断量として求めることを特徴とする負荷遮断量検出方法。
【請求項６】
変電所に設置される変圧器各バンクの潮流値と過負荷限度値とから各バンクの過負荷量を求めるとともに、過負荷が発生しているバンクと同一系統に接続されている各バンクの潮流比から過負荷量に相当する各バンクの潮流量を求め、これらの総和を過負荷バンクの過負荷を解消するバンク負荷遮断量として求めることを特徴とする負荷遮断量検出方法。
【請求項７】
過負荷が発生している回線と同一系統に接続されている各回線の潮流比から過負荷量に相当する各回線の潮流量を求め、これらの総和を過負荷回線の過負荷を解消するための回線負荷遮断量として求めるとともに、過負荷が発生しているバンクと同一系統に接続されている各バンクの潮流比から過負荷量に相当する各バンクの潮流量を求め、これらの総和を過負荷バンクの過負荷を解消するためのバンク負荷遮断量として求めるものであって、複数の回線またはバンクで過負荷が発生している場合に、これらの回線負荷遮断量、バンク負荷遮断量を上記手段によって求め、これらの最大値を全回線、全バンクの過負荷を解消する負荷遮断量として求めることを特徴とする負荷遮断量検出方法。
【請求項８】
１次送電線各回線の過負荷および変圧器各バンクの過負荷を検出し、かつ、１次送電線各回線の潮流値および変圧器各バンクの潮流値ならびに系統の遮断器・断路器情報を入力するとともに、過負荷限度値を設定し、しかも、過負荷が発生している回線と同一系統に接続されている各回線の潮流比から過負荷量に相当する各回線の潮流量を求め、これらの総和を過負荷回線の過負荷を解消するための回線負荷遮断量として求めるとともに、過負荷が発生しているバンクと同一系統に接続されている各バンクの潮流比から過負荷量に相当する各バンクの潮流量を求め、これらの総和を過負荷バンクの過負荷を解消するためのバンク負荷遮断量として求めるものであって、複数の回線またはバンクで過負荷が発生している場合に、これらの回線負荷遮断量，バンク負荷遮断量の最大値を全回線，全バンクの過負荷を解消する負荷遮断量として求め、求まった負荷遮断量に相当する負荷の組合せを検索・抽出することにより、複数の回線またはバンクで過負荷が発生している場合に、前記負荷遮断量を求め、負荷遮断量相当の負荷の組合せを一括して遮断することによって過負荷を解消することを特徴とする負荷遮断方法。
【発明の詳細な説明】
【０００１】
【発明の属する技術分野】
この発明は、変電所の送電線，変圧器等において過負荷発生時に、負荷を遮断して過負荷解消を図る負荷遮断装置および負荷遮断方法に関するものである。
【０００２】
【従来の技術】
従来の負荷遮断装置として、例えば特開平４−３１７５１１号公報に示された従来の負荷制御装置について説明する。
図４は負荷遮断装置の構成図であり、２１は制御対象送電線に流れる電流を検出する電流検出器である。
２２は当該送電線の周囲温度（送電線の亘長が長い場合などでは適当な複数箇所で検出し、その平均値または最大値などを採用する）を検出する温度検出器である。
２３および２４はそれぞれ連続許容温度設定器および短時間許容温度設定器で、送電線に使用されている導体の仕様により適当な値が選定される。例えば、耐熱アルミ合金線では連続許容温度として、１５０℃、短時間許容温度として１８０℃程度に設定される。
２５は許容電流定数設定器で、後述する算式により連続許容電流を算出する場合の定数を設定する。
２６は電流検出器２１および温度検出器２２からの検出値と連続許容温度設定器２３，短時間許容温度設定器２４および許容温度定数設定器２５からの設定値とを入力して導体温度を演算し、これが別途演算した許容温度限界を超えたとき必要な負荷遮断を設定して負荷遮断指令器２７にその信号を送出する演算制御装置である。
【０００３】
次に、特に演算制御装置２６の動作を図５のフローチャートに従って説明する。
まず、ステップＳ１，Ｓ２，Ｓ３において、次式により連続許容電流Ｉｎ、許容温度限界Ｍ、導体温度上昇θ（ｔ）を算出する。
Ｉｎ＝Ａ・（Ｔｎ−Ｔａ）＋Ｂ………………（１）
Ｍ＝（Ｔｓ−Ｔａ）／（Ｔｎ−Ｔａ）………（２）
【０００４】
【数１】
0003866944.tif 000002
【０００５】
ここで、
Ｔｎ        ：連続許容温度設定器２３から入力される連続許容温度
Ｔａ        ：温度検出器２２により検出された周囲温度
Ａ，Ｂ      ：許容電流定数設定器２５によって入力される定数
Ｔｓ        ：短時間許容温度設定器２４から入力される短時間許容温度
θ（ｔ）    ：現時点（現計算ステップ）での導体温度上昇
θ（ｔ−１）：１周期前の計算ステップでの導体温度上昇
θｎ        ：連続許容導体温度上昇（Ｔｎ−Ｔａ）
Ｉａ        ：電流検出器２１から入力される現時点の送電線電流
Δｔ        ：計算１周期分の時間幅
τ          ：導体の熱時定数
【０００６】
次に、ステップＳ４にて、上記導体温度上昇θ（ｔ）／θｎと許容温度限界Ｍとの比較演算を行い、ここで前者が後者以上であれば、ステップＳ５にて現時点の送電線電流Ｉａと連続許容電流Ｉｎとの差から負荷遮断量を算出し、ステップＳ６にて指令信号を負荷遮断指令器２７へ出力する。
【０００７】
【発明が解決しようとする課題】
従来の負荷遮断装置は以上のように、送電線電流と連続許容電流との差から負荷遮断量を求めているが、複数回線送電を行っている系統において回線に過負荷が発生した場合、他回線の電流値を考慮していないため、遮断量に過不足が生じるといった問題点があった。
【０００８】
この発明は、上記のような課題を解決するためになされたものであり、複数個所で過負荷が発生した場合に、それらの過負荷量を考慮した負荷遮断量を適切に求めることにより、的確な動作を行える負荷遮断量検出装置および負荷遮断装置ならびに負荷遮断量検出方法および負荷遮断方法を得ようとするものである。
【０００９】
そして、この発明による実施の形態では、次のような目的を有している。
実施の形態１：送電線過負荷時に、潮流比により他回線潮流量を考慮して適正な負荷遮断量を求める。
実施の形態２：変圧器過負荷時に、潮流比により他バンク潮流量を考慮して適正な負荷遮断量を求める。
実施の形態３：各回線や変圧器の複数箇所で過負荷が発生した場合に、これらを解消できる負荷遮断量を求める。
実施の形態４：上記負荷遮断量を求め、一括負荷遮断を行う装置を得る。
【００１０】
【課題を解決するための手段】
第１の発明に係る負荷遮断量検出装置では、変電所１次送電線各回線の潮流値と過負荷限度値とから各回線の過負荷量を求める回線過負荷量演算手段と、過負荷が発生している回線と同一系統に接続されている各回線の潮流比から過負荷量に相当する各回線の潮流量を求め、これらの総和を過負荷回線の過負荷を解消するための回線負荷遮断量として求める回線負荷遮断量演算手段とを備えたものである。
【００１１】
第２の発明に係る負荷遮断量検出装置では、変電所に設置される変圧器各バンクの潮流値と過負荷限度値とから各バンクの過負荷量を求めるバンク過負荷量演算手段と、過負荷が発生しているバンクと同一系統に接続されている各バンクの潮流比から過負荷量に相当する各バンクの潮流量を求め、これらの総和を過負荷バンクの過負荷を解消するためのバンク負荷遮断量として求めるバンク負荷遮断量演算手段とを備えたものである。
【００１２】
第３の発明に係る負荷遮断量検出装置では、変電所１次送電線各回線の潮流値と過負荷限度値とから各回線の過負荷量を求める回線過負荷量演算手段と、過負荷が発生している回線と同一系統に接続されている各回線の潮流比から過負荷量に相当する各回線の潮流量を求め、これらの総和を過負荷回線の過負荷を解消するための回線負荷遮断量として求める回線負荷遮断量演算手段と、変電所に設置される変圧器各バンクの潮流値と過負荷限度値とから各バンクの過負荷量を求めるバンク過負荷量演算手段と、過負荷が発生しているバンクと同一系統に接続されている各バンクの潮流比から過負荷量に相当する各バンクの潮流量を求め、これらの総和を過負荷バンクの過負荷を解消するためのバンク負荷遮断量として求めるバンク負荷遮断量演算手段とを有し、複数の回線またはバンクで過負荷が発生している場合に、これらの回線負荷遮断量，バンク負荷遮断量を上記手段によって求め、これらの最大値を全回線，全バンクの過負荷を解消する負荷遮断量として求める負荷遮断量演算手段とを備えたものである。
【００１３】
第４の発明に係る負荷遮断装置では、１次送電線各回線の過負荷を検出する手段と、変圧器各バンクの過負荷を検出する手段と、１次送電線各回線の潮流値を入力する手段と、変圧器各バンクの潮流値を入力する手段と、系統の遮断器・断路器情報を入力する手段と、過負荷限度値を設定する手段と、変電所１次送電線各回線の潮流値と過負荷限度値とから各回線の過負荷量を求める回線過負荷量演算手段と、過負荷が発生している回線と同一系統に接続されている各回線の潮流比から過負荷量に相当する各回線の潮流量を求め、これらの総和を過負荷回線の過負荷を解消するための回線負荷遮断量として求める回線負荷遮断量演算手段と、変電所に設置される変圧器各バンクの潮流値と過負荷限度値とから各バンクの過負荷量を求めるバンク過負荷量演算手段と、過負荷が発生しているバンクと同一系統に接続されている各バンクの潮流比から過負荷量に相当する各バンクの潮流量を求め、これらの総和を過負荷バンクの過負荷を解消するためのバンク負荷遮断量として求めるバンク負荷遮断量演算手段とを有し、複数の回線またはバンクで過負荷が発生している場合に、これらの回線負荷遮断量，バンク負荷遮断量を上記手段によって求め、これらの最大値を全回線，全バンクの過負荷を解消する負荷遮断量として求める負荷遮断量演算手段と求まった負荷遮断量に相当する負荷の組合せを検索・抽出する手段とを有し、複数の回線またはバンクで過負荷が発生している場合に、負荷遮断量を上記手段によって求め、負荷遮断量相当の負荷の組合せを一括して遮断することにより過負荷を解消するようにしたものである。
【００１４】
第５の発明に係る負荷遮断量検出方法では、変電所１次送電線各回線の潮流値と過負荷限度値とから各回線の過負荷量を求めるとともに、過負荷が発生している回線と同一系統に接続されている各回線の潮流比から過負荷量に相当する各回線の潮流量を求め、これらの総和を過負荷回線の過負荷を解消する回線負荷遮断量として求めるようにしたものである。
【００１５】
第６の発明に係る負荷遮断量検出方法では、変電所に設置される変圧器各バンクの潮流値と過負荷限度値とから各バンクの過負荷量を求めるとともに、過負荷が発生しているバンクと同一系統に接続されている各バンクの潮流比から過負荷量に相当する各バンクの潮流量を求め、これらの総和を過負荷バンクの過負荷を解消するバンク負荷遮断量として求めるようにしたものである。
【００１６】
第７の発明に係る負荷遮断量検出方法では、過負荷が発生している回線と同一系統に接続されている各回線の潮流比から過負荷量に相当する各回線の潮流量を求め、これらの総和を過負荷回線の過負荷を解消するための回線負荷遮断量として求めるとともに、過負荷が発生しているバンクと同一系統に接続されている各バンクの潮流比から過負荷量に相当する各バンクの潮流量を求め、これらの総和を過負荷バンクの過負荷を解消するためのバンク負荷遮断量として求めるものであって、複数の回線またはバンクで過負荷が発生している場合に、これらの回線負荷遮断量、バンク負荷遮断量を上記手段によって求め、これらの最大値を全回線、全バンクの過負荷を解消する負荷遮断量として求めるようにしたものである。
【００１７】
第８の発明に係る負荷遮断方法では、１次送電線各回線の過負荷および変圧器各バンクの過負荷を検出し、かつ、１次送電線各回線の潮流値および変圧器各バンクの潮流値ならびに系統の遮断器・断路器情報を入力するとともに、過負荷限度値を設定し、しかも、過負荷が発生している回線と同一系統に接続されている各回線の潮流比から過負荷量に相当する各回線の潮流量を求め、これらの総和を過負荷回線の過負荷を解消するための回線負荷遮断量として求めるとともに、過負荷が発生しているバンクと同一系統に接続されている各バンクの潮流比から過負荷量に相当する各バンクの潮流量を求め、これらの総和を過負荷バンクの過負荷を解消するためのバンク負荷遮断量として求めるものであって、複数の回線またはバンクで過負荷が発生している場合に、これらの回線負荷遮断量，バンク負荷遮断量の最大値を全回線，全バンクの過負荷を解消する負荷遮断量として求め、求まった負荷遮断量に相当する負荷の組合せを検索・抽出することにより、複数の回線またはバンクで過負荷が発生している場合に、前記負荷遮断量を求め、負荷遮断量相当の負荷の組合せを一括して遮断することによって過負荷を解消するようにしたものである。
【００１８】
【発明の実施の形態】
実施の形態１．
この発明による実施の形態１を図１および図２に基づいて説明する。図１は実施の形態１における構成を示すブロック図である。図２は実施の形態１における処理動作を示すフローチャートである。
【００１９】
図１において、１は１次送電線、２は変圧器、３は負荷送電線、４は変流器、５は変成器、６は過負荷検出処理部、７は過負荷限度値設定機構、８は潮流検出処理部、９は系統の遮断器（以下、ＣＢという）・断路器（以下、ＬＳという）情報入力処理部、１０は回線過負荷量演算処理部、１１はバンク過負荷量演算処理部、１２は回線負荷遮断量演算処理部、１３はバンク負荷遮断量演算処理部、１４は負荷遮断量演算処理部、１５は遮断負荷の組合せ抽出処理部、１６は遮断負荷組合せの遮断指令出力機構である。
【００２０】
次に、動作について説明する。
１次送電線１のうち回線Ｌ４が事故遮断され、回線Ｌ１，回線Ｌ２の送電線にて過負荷が発生したとする。
本装置は、過負荷検出処理部６にて回線Ｌ１，回線Ｌ２の過負荷を検出する。検出方法の例としては、変流器４からの電流入力が所定のレベルを所定時間超えていることで過負荷と判定する過電流検出などが挙げられる。
【００２１】
過負荷が検出された回線は、潮流検出処理部８にて検出された潮流値と過負荷限度値設定機構７に設定された過負荷限度値から回線過負荷量演算処理部１０にて回線の過負荷量の演算を行う。潮流検出方法の例としては、変流器４と変成器５からの電流・電圧入力から演算で求める手法等が挙げられる。
【００２２】
回線Ｌ１の過負荷限度値をＰＬｒｅｆ１、回線Ｌ２の過負荷限度値をＰＬｒｅｆ２とすると、過負荷の発生している回線Ｌ１，回線Ｌ２の過負荷量ΔＰＬ１，ΔＰＬ２は次の通りである。
ΔＰＬ１＝ＰＬ１−ＰＬｒｅｆ１
ΔＰＬ２＝ＰＬ２−ＰＬｒｅｆ２
回線負荷遮断量演算処理部１２において、ＣＢ・ＬＳ情報入力処理部９にて入力されたＣＢ・ＬＳ情報から過負荷回線と同一系統の回線を検索し、上記過負荷量から各過負荷回線の過負荷を解消できる回線負荷遮断量を演算する。
過負荷回線と同一系統の回線に流れる潮流は、各回線が同一電源に接続されていると仮定すると、常時同一の潮流比で流れるため、過負荷回線の過負荷を解消するには、上記過負荷量とこれに相当する各回線の潮流値（過負荷量の潮流比倍となる）を遮断する必要がある。
したがって、過負荷回線の過負荷を解消できる回線負荷遮断量は次式により求めることができる。
ここで、ｉは過負荷回線、ｊは過負荷回線と同一系統にある回線、ＰＬｉ，ＰＬｊは回線ｉ，回線ｊに流れる潮流である。
ＰＬｃｕｔｉ＝ΔＰＬｉ×Σ（ＰＬｊ／ＰＬｉ）
【００２３】
図１の図例で説明すると、ＣＢ・ＬＳ情報から過負荷回線Ｌ１と同一系統の回線はＬ２およびＬ３、過負荷回線Ｌ２と同一系統の回線はＬ１およびＬ３であるから、これらの回線の潮流量を考慮して、回線ｌ１、Ｌ２の過負荷を解消するのに必要な回線負荷遮断量ＰＬｃｕｔ１，ＰＬｃｕｔ２は次式となる。
ＰＬｃｕｔ１＝ΔＰＬ１×（１＋ＰＬ２／ＰＬ１＋ＰＬ３／ＰＬ１）
ＰＬｃｕｔ２＝ΔＰＬ２×（ＰＬ１／ＰＬ２＋１＋ＰＬ３／ＰＬ２）
以上が請求項１および請求項５に記載した第１および第５の発明についての実施の形態である。
【００２４】
変圧器で過負荷が発生している場合は、バンク過負荷遮断量を求める一連の処理（実施の形態２参照）を行う。
【００２５】
上記にて、過負荷回線の回線負荷遮断量および過負荷バンクのバンク負荷遮断量が求まると、これらの過負荷全てを解消できる負荷遮断量を負荷遮断量演算処理部１４にて求める。
全ての過負荷を解消するには、これらの回線負荷遮断量，バンク負荷遮断量のうち最も大きい値を負荷遮断量とすることでカバーできるため、負荷遮断量Ｐｃｕｔは次式により求める。
Ｐｃｕｔ＝ＭＡＸ（ＰＬｃｕｔｉ，ＰＢｃｕｔｍ）
図１の図例で説明すると、回線Ｌ１と回線Ｌ２に過負荷が発生しているので、負荷遮断量Ｐｃｕｔは次式となる。
Ｐｃｕｔ＝ＭＡＸ（ＰＬｃｕｔ１，ＰＬｃｕｔ２）
以上が請求項３および請求項７に記載した第３および第７の発明についての実施の形態である。
【００２６】
上記により求まった負荷遮断量に相当する負荷の組合せを遮断負荷組合せ抽出処理部１５により検索・抽出を行う。検索・抽出手法の例としては、全負荷の組合せから負荷潮流量の和が負荷遮断量Ｐｃｕｔを超え、かつ超えた量が最小となる組合せを抽出する手法などが挙げられる。
抽出された負荷の組合せの負荷の遮断器に対し、負荷遮断指令出力機構１６にて遮断指令を出力し、一括遮断することにより過負荷が解消される。仮に何らかの要因で過負荷が解消されない場合は、先頭に戻り、再度同様の処理を繰り返せば過負荷を解消することができる。図２にこれらの処理のフローチャート例を示す。
以上が請求項４および請求項８に記載した第４および第８の発明についての実施の形態である。
なお、本例は潮流値にて説明しているが、電流値に置き換えても同様の効果をうることができる。
【００２７】
この発明による実施の形態１によれば、変電所１次送電線各回線の潮流値と過負荷限度値とから各回線の過負荷量を求める回線過負荷量演算部１０からなる回線過負荷量演算手段と、過負荷が発生している回線と同一系統に接続されている各回線の潮流比から過負荷量に相当する各回線の潮流量を求め、これらの総和を過負荷回線の過負荷を解消するための回線負荷遮断量として求める回線負荷遮断量演算部１２からなる回線負荷遮断量演算手段とを備えたので、回線において過負荷が発生した場合に、他回線の潮流変動を考慮した負荷遮断量を適切に求めることにより、的確な動作を行える負荷遮断量検出装置を得ることができる。
【００２８】
また、この発明による実施の形態１によれば、回線過負荷量演算部１０からなる回線過負荷量演算手段と、回線負荷遮断量演算部１２からなる回線負荷遮断量演算手段と、実施の形態２で詳述するバンク過負荷量演算部１１からなるバンク過負荷量演算手段と、実施の形態２で詳述するバンク負荷遮断量演算部１３からなるバンク負荷遮断量演算手段とを有し、複数の回線またはバンクで過負荷が発生している場合に、これらの回線負荷遮断量，バンク負荷遮断量を上記回線負荷遮断量演算部１２およびからなるバンク負荷遮断量演算部１３からなる手段によって求め、これらの最大値を全回線，全バンクの過負荷を解消する負荷遮断量として求める負荷遮断量演算部１４からなる負荷遮断量演算手段とを備えたので、回線，バンクにおいて複数個所で過負荷が発生した場合に、それらの過負荷量を考慮した負荷遮断量を適切に求めることにより、的確な動作を行える負荷遮断量検出装置を得ることができる。
【００２９】
さらに、この発明による実施の形態１によれば、１次送電線各回線の過負荷を検出する過負荷検出処理部６からなる過負荷検出手段と、変圧器各バンクの過負荷を検出する過負荷検出処理部６からなる過負荷検出手段と、１次送電線各回線の潮流値を入力する潮流検出処理部８からなる潮流検出手段と、変圧器各バンクの潮流値を入力する潮流検出処理部８からなる手段と、系統の遮断器・断路器情報を入力する遮断器・断路器情報入力処理部９からなる遮断器・断路器情報入力手段と、過負荷限度値を設定する過負荷限度値設定機構７からなる過負荷限度値設定手段と、回線負荷遮断量，バンク負荷遮断量の最大値を全回線，全バンクの過負荷を解消する負荷遮断量として求める負荷遮断量演算部１４からなる負荷遮断量演算手段と、負荷遮断量演算部１４からなる負荷遮断量演算手段により求まった負荷遮断量に相当する負荷の組合せを検索・抽出する手段とを有し、複数の回線またはバンクで過負荷が発生している場合に、負荷遮断量を上記手段によって求め、負荷遮断量相当の負荷の組合せを一括して遮断することにより過負荷を解消するようにしたので、回線，バンクにおいて複数個所で過負荷が発生した場合に、それらの過負荷量を考慮した負荷遮断量を適切に求めて負荷の遮断を行うことにより、的確な動作を行える負荷遮断装置を得ることができる。
【００３０】
さらにまた、この発明による実施の形態１によれば、変電所１次送電線各回線の潮流値と過負荷限度値とから回線過負荷量演算部１０により各回線の過負荷量を求めるとともに、回線負荷遮断量演算部１２により、過負荷が発生している回線と同一系統に接続されている各回線の潮流比から過負荷量に相当する各回線の潮流量を求め、これらの総和を過負荷回線の過負荷を解消する回線負荷遮断量として求めるようにしたので、回線において過負荷が発生した場合に、他回線の潮流変動を考慮した負荷遮断量を適切に求めることにより、的確な動作を行える負荷遮断量検出方法を得ることができる。
【００３１】
そして、この発明による実施の形態１によれば、回線負荷遮断量演算部１２により回線負荷遮断量を求めるとともに、バンク負荷遮断量演算部１３によりバンク負荷遮断量を求めるものであって、複数の回線またはバンクで過負荷が発生している場合に、これらの回線負荷遮断量、バンク負荷遮断量を上記回線負荷遮断量演算部１２およびバンク負荷遮断量演算部１３によって求め、負荷遮断量演算部１４により、これらの最大値を全回線，全バンクの過負荷を解消する負荷遮断量として求めるようにしたので、回線，バンクにおいて複数個所で過負荷が発生した場合に、それらの過負荷量を考慮した負荷遮断量を適切に求めることにより、的確な動作を行える負荷遮断量検出方法を得ることができる。
【００３２】
そしてまた、この発明による実施の形態１によれば、１次送電線各回線の過負荷および変圧器各バンクの過負荷を過負荷検出部６により検出し、かつ、１次送電線各回線の潮流値および変圧器各バンクの潮流値ならびに系統の遮断器・断路器情報を入力するとともに、過負荷限度値を過負荷限度値設定機構７により設定し、しかも、負荷遮断量演算部１４により回線負荷遮断量，バンク負荷遮断量の最大値を全回線，全バンクの過負荷を解消する負荷遮断量として求め、負荷遮断量演算部１４により求まった負荷遮断量に相当する負荷の組合せを検索・抽出することにより、複数の回線またはバンクで過負荷が発生している場合に、前記負荷遮断量を求め、負荷遮断量相当の負荷の組合せを一括して遮断することによって過負荷を解消するようにしたので、回線において複数個所で過負荷が発生した場合に、それらの過負荷量を考慮した負荷遮断量を適切に求めて負荷の遮断を行うことにより、的確な動作を行える負荷遮断方法を得ることができる。
【００３３】
実施の形態２．
この発明による実施の形態２を図３について説明する。図３は実施の形態２における構成を示すブロック図である。
【００３４】
図３において、１は１次送電線、２は変圧器、３は負荷送電線、４は変流器、５は変成器、６は過負荷検出処理部、７は過負荷限度値設定機構、８は潮流検出処理部、９は系統のＣＢ・ＬＳ情報入力処理部、１０は回線過負荷量演算処理部、１１はバンク過負荷量演算処理部、１２は回線負荷遮断量演算処理部、１３はバンク負荷遮断量演算処理部、１４は負荷遮断量演算処理部、１５は遮断負荷の組合せ抽出処理部、１６は遮断負荷組合せの遮断指令出力機構である。
【００３５】
なお、実施の形態１では、１次送電線の過負荷時について述べたが、変圧器過負荷時の例について説明する。
変圧器２のうちバンク３Ｂが事故遮断され、バンク１Ｂ，バンク２Ｂの変圧器にて過負荷が発生したとする。
本装置は、過負荷検出処理部６にてバンクＢ１，バンクＢ２の過負荷を検出する。検出方法の例としては、変流器４からの電流入力が所定のレベルを所定時間超えていることで過負荷と判定する過電流検出などが挙げられる。
【００３６】
過負荷が検出されたバンクは、潮流検出処理部８にて検出された潮流値と過負荷限度値設定機構７に設定された過負荷限度値からバンク過負荷量演算処理部１１にてバンクの過負荷量の演算を行う。潮流検出方法の例としては、変流器４と変成器５からの電流・電圧入力から演算で求める方法等が挙げられる。
【００３７】
バンクＢ１の過負荷限度値をＰＢｒｅｆ１、バンクＢ２の過負荷限度値をＰＢｒｅｆ２とすると、過負荷の発生しているバンク１Ｂ，バンク２Ｂの過負荷量ΔＰＢ１，ΔＰＢ２は次の通りである。
ΔＰＢ１＝ＰＢ１−ＰＢｒｅｆ１
ΔＰＢ２＝ＰＢ２−ＰＢｒｅｆ２
バンク負荷遮断量演算処理部１３において、ＣＢ・ＬＳ情報入力処理部９にて入力されたＣＢ・ＬＳ情報から過負荷バンクと同一系統のバンクを検索し、上記過負荷量から各過負荷バンクの過負荷を解消できるバンク負荷遮断量を演算する。
過負荷バンクと同一系統のバンクに流れる潮流は、各バンクが同一電源に接続されていると仮定すると、常時同一の潮流比で流れるため、過負荷バンクの過負荷を解消するには、上記過負荷量とこれに相当する各バンクの潮流値（過負荷量の潮流比倍となる）を遮断する必要がある。
したがって、過負荷バンクの過負荷を解消できる回線負荷遮断量は次式により求めることができる。
ここで、ｍは過負荷バンク、ｎは過負荷バンクと同一系統にあるバンク、ＰＢｍ，ＰＢｎはバンクｍ，バンクｎに流れる潮流である。
ＰＢｃｕｔｍ＝ΔＰＢｍ×Σ（ＰＢｎ／ＰＢｍ）
【００３８】
図３の図例で説明すると、ＣＢ・ＬＳ情報から過負荷バンク１Ｂと同一系統のバンクは２Ｂであり、過負荷バンク２Ｂと同一系統の回線は１Ｂであるから、これらのバンクの潮流量を考慮して、バンク１Ｂ，２Ｂの過負荷を解消するのに必要なバンク負荷遮断量ＰＢｃｕｔ１，ＰＢｃｕｔ２は次式となる。
ＰＢｃｕｔ１＝ΔＰＢ１×（１＋ＰＢ２／ＰＢ１）
ＰＢｃｕｔ２＝ΔＰＢ２×（ＰＢ１／ＰＢ２＋１）
以上が請求項２に記載した第２の発明についての実施の形態である。
【００３９】
以降の処理については実施の形態１と同様である。なお、本例は潮流値にて説明しているが、電流値に置き換えても同様の効果を得ることができる。
【００４０】
この発明による実施の形態２によれば、変電所に設置される変圧器各バンクの潮流値と過負荷限度値とから各バンクの過負荷量を求めるバンク過負荷量演算部１１からなるバンク過負荷量演算手段と、過負荷が発生しているバンクと同一系統に接続されている各バンクの潮流比から過負荷量に相当する各バンクの潮流値を求め、これらの総和を過負荷バンクの過負荷を解消するためのバンク負荷遮断量として求めるバンク負荷遮断量演算部１３からなるバンク負荷遮断量演算手段とを備えたので、バンクにおいて過負荷が発生した場合に、他バンクの潮流変動を考慮した負荷遮断量を適切に求めることにより、的確な動作を行える負荷遮断量検出装置を得ることができる。
【００４１】
また、この発明による実施の形態２によれば、変電所に設置される変圧器各バンクの潮流値と過負荷限度値とからバンク過負荷量演算部１１により各バンクの過負荷量を求めるとともに、バンク負荷遮断量演算部１３により、過負荷が発生しているバンクと同一系統に接続されている各バンクの潮流比から過負荷量に相当する各バンクの潮流値を求め、これらの総和を過負荷バンクの過負荷を解消するバンク負荷遮断量として求めるようにしたので、バンクにおいて過負荷が発生した場合に、他バンクの潮流変動を考慮した負荷遮断量を適切に求めることにより、的確な動作を行える負荷遮断量検出方法を得ることができる。
【００４２】
【発明の効果】
第１の発明によれば、変電所１次送電線各回線の潮流値と過負荷限度値とから各回線の過負荷量を求める回線過負荷量演算手段と、過負荷が発生している回線と同一系統に接続されている各回線の潮流比から過負荷量に相当する各回線の潮流量を求め、これらの総和を過負荷回線の過負荷を解消するための回線負荷遮断量として求める回線負荷遮断量演算手段とを備えたので、前記回線において過負荷が発生した場合に、他回線の潮流変動を考慮した負荷遮断量を適切に求めることにより、的確な動作を行える負荷遮断量検出装置を得ることができる。
【００４３】
第２の発明によれば、変電所に設置される変圧器各バンクの潮流値と過負荷限度値とから各バンクの過負荷量を求めるバンク過負荷量演算手段と、過負荷が発生しているバンクと同一系統に接続されている各バンクの潮流比から過負荷量に相当する各バンクの潮流値を求め、これらの総和を過負荷バンクの過負荷を解消するためのバンク負荷遮断量として求めるバンク負荷遮断量演算手段とを備えたので、前記バンクにおいて過負荷が発生した場合に、他バンクの潮流変動を考慮した負荷遮断量を適切に求めることにより、的確な動作を行える負荷遮断量検出装置を得ることができる。
【００４４】
第３の発明によれば、変電所１次送電線各回線の潮流値と過負荷限度値とから各回線の過負荷量を求める回線過負荷量演算手段と、過負荷が発生している回線と同一系統に接続されている各回線の潮流比から過負荷量に相当する各回線の潮流量を求め、これらの総和を過負荷回線の過負荷を解消するための回線負荷遮断量として求める回線負荷遮断量演算手段と、変電所に設置される変圧器各バンクの潮流値と過負荷限度値とから各バンクの過負荷量を求めるバンク過負荷量演算手段と、過負荷が発生しているバンクと同一系統に接続されている各バンクの潮流比から過負荷量に相当する各バンクの潮流値を求め、これらの総和を過負荷バンクの過負荷を解消するためのバンク負荷遮断量として求めるバンク負荷遮断量演算手段とを有し、複数の回線またはバンクで過負荷が発生している場合に、これらの回線負荷遮断量，バンク負荷遮断量を上記手段によって求め、これらの最大値を全回線，全バンクの過負荷を解消する負荷遮断量として求める負荷遮断量演算手段とを備えたので、複数個所で過負荷が発生した場合に、それらの過負荷量を考慮した負荷遮断量を全回線，全バンクの過負荷を解消する負荷遮断量として求める適切に求めることにより、的確な動作を行える負荷遮断量検出装置を得ることができる。
【００４５】
第４の発明によれば、１次送電線各回線の過負荷を検出する手段と、変圧器各バンクの過負荷を検出する手段と、１次送電線各回線の潮流値を入力する手段と、変圧器各バンクの潮流値を入力する手段と、系統の遮断器・断路器情報を入力する手段と、過負荷限度値を設定する手段と、変電所１次送電線各回線の潮流値と過負荷限度値とから各回線の過負荷量を求める回線過負荷量演算手段と、過負荷が発生している回線と同一系統に接続されている各回線の潮流比から過負荷量に相当する各回線の潮流量を求め、これらの総和を過負荷回線の過負荷を解消するための回線負荷遮断量として求める回線負荷遮断量演算手段と、変電所に設置される変圧器各バンクの潮流値と過負荷限度値とから各バンクの過負荷量を求めるバンク過負荷量演算手段と、過負荷が発生しているバンクと同一系統に接続されている各バンクの潮流比から過負荷量に相当する各バンクの潮流値を求め、これらの総和を過負荷バンクの過負荷を解消するためのバンク負荷遮断量として求めるバンク負荷遮断量演算手段とを有し、複数の回線またはバンクで過負荷が発生している場合に、これらの回線負荷遮断量，バンク負荷遮断量を上記手段によって求め、これらの最大値を全回線，全バンクの過負荷を解消する負荷遮断量として求める負荷遮断量演算手段と求まった負荷遮断量に相当する負荷の組合せを検索・抽出する手段とを有し、複数の回線またはバンクで過負荷が発生している場合に、負荷遮断量を上記手段によって求め、負荷遮断量相当の負荷の組合せを一括して遮断することにより過負荷を解消するようにしたので、複数個所で過負荷が発生した場合に、それらの過負荷量を考慮した負荷遮断量を適切に求めて負荷の遮断を行うことにより、的確な動作を行える負荷遮断装置を得ることができる。
【００４６】
第５の発明によれば、変電所１次送電線各回線の潮流値と過負荷限度値とから各回線の過負荷量を求めるとともに、過負荷が発生している回線と同一系統に接続されている各回線の潮流比から過負荷量に相当する各回線の潮流量を求め、これらの総和を過負荷回線の過負荷を解消する回線負荷遮断量として求めるようにしたので、回線で過負荷が発生した場合に、他回線の潮流変動を考慮した負荷遮断量を適切に求めることにより、的確な動作を行える負荷遮断量検出方法を得ることができる。
【００４７】
第６の発明によれば、変電所に設置される変圧器各バンクの潮流値と過負荷限度値とから各バンクの過負荷量を求めるとともに、過負荷が発生しているバンクと同一系統に接続されている各バンクの潮流比から過負荷量に相当する各バンクの潮流値を求め、これらの総和を過負荷バンクの過負荷を解消するバンク負荷遮断量として求めるようにしたので、前記バンクにおいて過負荷が発生した場合に、他バンクの潮流変動を考慮した負荷遮断量を適切に求めることにより、的確な動作を行える負荷遮断量検出方法を得ることができる。
【００４８】
第７の発明によれば、過負荷が発生している回線と同一系統に接続されている各回線の潮流比から過負荷量に相当する各回線の潮流量を求め、これらの総和を過負荷回線の過負荷を解消するための回線負荷遮断量として求めるとともに、過負荷が発生しているバンクと同一系統に接続されている各バンクの潮流比から過負荷量に相当する各バンクの潮流値を求め、これらの総和を過負荷バンクの過負荷を解消するためのバンク負荷遮断量として求めるものであって、複数の回線またはバンクで過負荷が発生している場合に、これらの回線負荷遮断量，バンク負荷遮断量を上記手段によって求め、これらの最大値を全回線，全バンクの過負荷を解消する負荷遮断量として求めるようにしたので、複数個所で過負荷が発生した場合に、それらの過負荷量を考慮した負荷遮断量を全回線，全バンクの過負荷を解消する負荷遮断量として適切に求めることにより、的確な動作を行える負荷遮断量検出方法を得ることができる。
【００４９】
第８の発明によれば、１次送電線各回線の過負荷および変圧器各バンクの過負荷を検出し、かつ、１次送電線各回線の潮流値および変圧器各バンクの潮流値ならびに系統の遮断器・断路器情報を入力するとともに、過負荷限度値を設定し、しかも、過負荷が発生している回線と同一系統に接続されている各回線の潮流比から過負荷量に相当する各回線の潮流量を求め、これらの総和を過負荷回線の過負荷を解消するための回線負荷遮断量として求めるとともに、過負荷が発生しているバンクと同一系統に接続されている各バンクの潮流比から過負荷量に相当する各バンクの潮流値を求め、これらの総和を過負荷バンクの過負荷を解消するためのバンク負荷遮断量として求めるものであって、複数の回線またはバンクで過負荷が発生している場合に、これらの回線負荷遮断量，バンク負荷遮断量の最大値を全回線，全バンクの過負荷を解消する負荷遮断量として求め、求まった負荷遮断量に相当する負荷の組合せを検索・抽出することにより、複数の回線またはバンクで過負荷が発生している場合に、前記負荷遮断量を求め、負荷遮断量相当の負荷の組合せを一括して遮断することによって過負荷を解消するようにしたので、回線，バンクにおいて複数個所で過負荷が発生した場合に、それらの過負荷量を考慮した負荷遮断量を適切に求めて負荷の遮断を行うことにより、的確な動作を行える負荷遮断方法を得ることができる。
【図面の簡単な説明】
【図１】  この発明による実施の形態１における構成を示すブロック図である。
【図２】  この発明による実施の形態１における処理工程を示すフローチャートである。
【図３】  この発明による実施の形態２における構成を示すブロック図である。
【図４】  従来技術における構成を示すブロック図である。
【図５】  従来技術における処理動作を示すフローチャートである。
【符号の説明】
１  １次送電線、２  変圧器、３  負荷送電線、４  変流器、５  変成器、６過負荷検出処理部、７  過負荷限度値設定機構、８  潮流検出処理部、９  系統のＣＢ・ＬＳ情報入力処理部、１０  回線過負荷量演算処理部、１１  バンク過負荷量演算処理部、１２  回線負荷遮断量演算処理部、１３  バンク負荷遮断量演算処理部、１４  負荷遮断量演算処理部、１５  遮断負荷の組合せ抽出処理部、１６  遮断負荷組合せの遮断指令出力機構。
【図１】
0003866944.tif 000003
【図２】
0003866944.tif 000004
【図３】
0003866944.tif 000005
【図４】
0003866944.tif 000006
【図５】
0003866944.tif 000007